(57)【要約】【課題】着座者が作業を行う際の自由度やレイアウトの自由度の低下を抑制することができるソファ構造および天板装置を提供する。【解決手段】ソファ１は、台座部材１０と背凭れ部材２０とを備えて構成される。台座部材１０は、台座用接床部１１を備えており、その上方に座部１２が設けられている。また、背凭れ部材２０は、背凭れ用接床部２１を備えており、その上方に背凭れ部２２が設けられている。背凭れ部２２の頂部には、平面状の平頂面２２が形成されている。この平頂面２２には、平頂面と略平行をなす平面が形成された上片３２を有する天板装置３が設けられている。【選択図】図１
2015084903.tif 000002
【特許請求の範囲】
【請求項１】
床面上に載置可能とされた台座用接床部および前記台座用接床部の上方に配設された座部とを備える低背台座部材と、床面上に載置可能とされた背凭れ用接床部および前記背凭れ用接床部の上方に配置された背凭れ部を備える高背背凭れ部材と、を含んで構成されるソファ構造であって、
前記背凭れ部の頂部に、平面状の平頂面が形成されており、
前記高背背凭れ部材における前後側の少なくとも一方に前記低背台座部材が配設されており、
前記高背背凭れ部材における前記平頂面に、前記平頂面と略平行をなす平面が形成された天板装置が設けられていることを特徴とするソファ構造。
【請求項２】
床面に配置された状態の前記低背台座部材と前記高背背凭れ部材とが、前後方向に延在する対称軸に対して線対称構造とされている請求項１に記載のソファ構造。
【請求項３】
前記高背背凭れ部材における前記低背台座部材側の前面が、上方に向かうにしたがって後方に傾斜する傾斜面とされている請求項１または請求項２に記載のソファ構造。
【請求項４】
前記天板装置は、前記高背背凭れ部材における平頂面に沿った上片と、前記高背背凭れ部材における前記低背台座部材側の前面に沿った前片と、前記高背背凭れ部材における前記前面の裏側に位置する裏面に沿った後片と、を備え、
断面形状が、下方に開口する略コ字形状をなす請求項１〜請求項３のうちのいずれか１項に記載のソファ構造。
【請求項５】
前記天板装置が、前記高背背凭れ部材に対して着脱可能とされている請求項１〜請求項４のうちのいずれか１項に記載のソファ構造。
【請求項６】
前記低背台座部材と前記高背背凭れ部材とが左右方向にずれた状態で前後に隣接して連結可能とされている請求項１〜請求項５のうちのいずれか１項に記載のソファ構造。
【請求項７】
請求項１〜請求項６のうちのいずれか１項に記載のソファ構造に用いられることを特徴とする天板装置。
【発明の詳細な説明】
【技術分野】
【０００１】
本発明は、オフィスや公共施設などの室内空間に設置して使用されるソファ構造に関する。
【背景技術】
【０００２】
オフィスや公共施設などの室内空間では、休憩エリアや待ち合わせエリア、あるいは打ち合わせエリア等において、使用者がリラックスした状態で着座することができるソファが設けられていることが多く見られている。このようなソファとしては、床面に載置された接床部と、この接床部に支持された座部と、着座者の背を支持する背凭れ部とを備えているものが一般的に使用されている。
【０００３】
その一方、この種のソファでは、着座者が簡易な作業、例えば簡単なメモ書きなどをできるようにするために、着座者に作業平面を提供できるテーブル装置などが併設されている場合もあった。しかしながら、テーブル装置などを併設すると、ソファとは別にテーブル装置を設けることとなるため、ソファを含めた什器全体が複雑化するとともに、什器全体を設置するための広い空間が必要となるという問題があった。
【０００４】
このような問題に対して、従来、ソファの基台にガイドレールを設け、このガイドレールに沿って移動可能とされた載置台が設けられている家具が開示されている（たとえば、特許文献１参照）。また、座の側部にサイドテーブルが取り付けられた椅子が開示されている（たとえば、特許文献２参照）。これらの家具や椅子では、什器全体としての構造の複雑化を抑制するとともに、設置空間を極力狭い範囲で抑えることができる。
【先行技術文献】
【特許文献】
【０００５】
【特許文献１】特開２００５−１０３０２２号公報
【特許文献２】特開２００３−４７５３２号公報
【発明の概要】
【発明が解決しようとする課題】
【０００６】
しかし、上記特許文献１，２に開示された椅子では、ソファ（椅子）に対するテーブル（載置台）の設置位置が限定されてしまうことから、着座者が着座できる領域が狭くなってしまう。このため、着座者が個別の作業やミーティングを行う際の自由度が低くなるという問題があった。さらには、ソファを設置する際にも、レイアウトの自由度や什器の転用性が低くなるという問題があった。
【０００７】
そこで、本発明の課題は、着座者が作業を行う際の自由度やレイアウトの自由度の低下を抑制することができるソファ構造および天板装置を提供することにある。
【課題を解決するための手段】
【０００８】
上記課題を解決した本発明に係るソファ構造は、床面上に載置可能とされた台座用接床部および台座用接床部の上方に配設された座部とを備える低背台座部材と、床面上に載置可能とされた背凭れ用接床部および背凭れ用接床部の上方に配置された背凭れ部を備える高背背凭れ部材と、を含んで構成されるソファ構造であって、背凭れ部の頂部に、平面状の平頂面が形成されており、高背背凭れ部材における前後側の少なくとも一方に低背台座部材が配設されており、高背背凭れ部材における平頂面に、ソファ構造平頂面と略平行をなす平面が形成された天板装置が設けられていることを特徴とする。
【０００９】
本発明に係るソファ構造においては、高背背凭れ部材における前後側の少なくとも一方に低背台座部材が配設されている。このように、高背背凭れ部材の前後側に低背台座部材が配設されるのみでソファ構造を形成できるので、レイアウトの自由度の低下を抑制することができる。さらに、高背背凭れ部材における平頂面には、この平頂面と略平行をなす平面が形成された天板装置が設けられている。この天板装置が設けられていることにより、高背背凭れ部材における平頂面の任意の位置に天板装置を設置することができる。したがって、低背台座部材に着座する着座者の着座位置に応じて、天板装置の設置位置を調整することができる。よって、着座者が作業を行う際の自由度やレイアウトの自由度の低下を抑制することができる。
【００１０】
ここで、床面に配置された状態の低背台座部材と高背背凭れ部材とが、前後方向に延在する対称軸に対して線対称構造とされていてもよい。このように、低背台座部材と高背背凭れ部材とが線対称構造をなしていることにより、レイアウトの自由度や転用性をより高めることができる。
【００１１】
また、高背背凭れ部材における低背台座部材側の前面が、上方に向かうにしたがって後方に傾斜する傾斜面とされていてもよい。このような傾斜面が形成されていることにより、低背台座部材側に着座する着座者の座り心地を良好なものとすることができる。
【００１２】
さらに、天板装置は、高背背凭れ部材における平頂面に沿った上片と、高背背凭れ部材における低背台座部材側の前面に沿った前片と、高背背凭れ部材における前面の裏側に位置する裏面に沿った後片と、を備え、断面形状が、下方に開口する略コ字形状をなしていてもよい。天板装置がこのような上片、前片、および後片を備えることにより、高背背凭れ部材と天板装置とが側面視して略補形する形状をなしている。このため、取付時における位置決めを容易に行うことができる。
【００１３】
また、天板装置が、高背背凭れ部材に対して着脱可能とされていてもよい。このように、天板装置が着脱可能とされていることにより、天板装置を容易に移動させることができる。さらには、天板装置を使用することを前提とした際の高背背凭れ部材や低背台座部材のレイアウトの自由度や転用性を高めることができる。
【００１４】
そして、低背台座部材と高背背凭れ部材とが左右方向にずれた状態で前後に隣接して連結可能とされていてもよい。このように低背台座部材と高背背凭れ部材とを連結させることにより、高背背凭れ部材や低背台座部材のレイアウトの自由度や転用性を高めることができるとともに、これらを利用する着座者の利用態様の自由度を高めることができる。
【発明の効果】
【００１５】
このように、本発明に係るソファ構造およびこれに用いる天板装置によれば、着座者が作業を行う際の自由度やレイアウトの自由度の低下を抑制することができる。
【図面の簡単な説明】
【００１６】
【図１】本発明に係るソファの全体斜視図である。
【図２】ソファを複数並べた状態の斜視図である。
【図３】ソファを複数並べた状態の平面図である。
【図４】天板装置の斜視図である。
【図５】ソファに天板装置を取り付けた状態の斜視図である。
【図６】（ａ）〜（ｄ）とも、複数のソファの配置の例を示す平面図である。
【発明を実施するための形態】
【００１７】
以下、本発明の好適な実施形態について説明する。図１は、本発明の実施形態に係るソファの斜視図である。図１に示すように、ソファ１は、本発明の低背台座部材である台座部材１０および高背背凭れ部材である背凭れ部材２０を備えて構成されている。このうちの台座部材１０は、背凭れ部材２０の一側、本実施形態では前側に配置されており、図示しない連結部材によって台座部材１０と連結されている。なお、本実施形態では、便宜上、背凭れ部材２０からみて台座部材１０が配置されている方向を前側、前側の反対側を後側という。
【００１８】
台座部材１０においては、上面に座面１０Ａが形成されている。台座部材１０における座面１０Ａは、平面視して内側と外側に曲率が共通する湾曲片を有する形状をなしており、２本の湾曲線の端部同士がそれぞれ直線で繋がれた形状をなしている。さらに言えば、中心点を内角が共通する２つの扇形を合わせて並べ、大きい方の扇形の形状から小さい方の扇形の形状を切り取った形状をなしている。
【００１９】
また、台座部材１０は、側断面が略等脚台形状をなす立体形状をなしている。台座部材１０は、床面に載置される台座用接床部１１を備えており、台座用接床部１１の上方に座部１２が固定されて取り付けられている。台座用接床部１１は、木材や金属材などの硬性の材質によって形成されており、座部１２は、皮や布、あるいはクッションなどの軟質の材質によって形成されている。座部１２の上面が座面１０Ａとなる。
【００２０】
背凭れ部材２０には、平面状の平頂面２０Ａが形成されており、平頂面２０Ａは、台座部材１０における座面１０Ａに形成された湾曲面と曲率がほぼ共通する湾曲片を備える形状をなしている。ここで、背凭れ部材２０の平頂面２０Ａは、台座部材１０における座面１０Ａよりも幅狭とされている。
【００２１】
背凭れ部材２０は、側断面が略等脚台形となる立体形状をなしており、床面に載置される背凭れ用接床部２１および背凭れ用接床部２１の上方に設けられた背凭れ部２２を備えている。背凭れ部材２０は、側断面が略等脚台形となる立体形状をなすことから、台座部材１０が連結される側の前面は、上方に向かうにしたがって後方に傾斜する傾斜面とされており、背凭れ部材２０の後面は、上方に向かうにしたがって前方に傾斜する傾斜面とされている。背凭れ部材２０の前面が後方に向かうにしたがって上方に後方に傾斜する傾斜面とされておりことで、台座部材１０に着座する着座者の座り心地を良好なものとすることができる。
【００２２】
台座部材１０および背凭れ部材２０とは、それぞれが前後方向に延在する対称軸の対する線対称構造とされている。また、台座部材１０や背凭れ部材２０のそれぞれについても、前後方向に延在する対称軸の対する線対称構造とされている。さらに、台座部材１０の側面および背凭れ部材２０の側面は、いずれも水平線に略直行する平面とされている。このため、台座部材１０同士や背凭れ部材２０同士を近接させて配置することができる。
【００２３】
また、図２および図３に示すように、ソファ１は、複数並べて配置することにより、略同一曲率の湾曲形状に配置することができる。このように複数のソファ１を並べて湾曲形状のソファとすることにより、図３に示すように、複数の人Ｈが近接した状態でソファに腰掛けることができる。ここでは、４つのソファ１を並べているが、２個や３個のソファ１を並べることもできるし、逆に５個以上のソファ１を並べることもできる。また、その内側にテーブＴを配置することにより、ソファ１に着座する人Ｈに近い位置にテーブルＴを配置することができるようになる。
【００２４】
背凭れ部材２０の上方には、天板装置３が設けられている。天板装置３は、図４にも示すように、前片３１，上片３２、および後片３３を備えて構成されている。天板装置３は、前片３１，上片３２、および後片３３によって、下方に開口する断面略コ字形形状をなしており、この開口部分から背凭れ部材２０の上端部が挿入され、背凭れ部材２０の上端に取り付け可能とされている。
【００２５】
背凭れ部材２０における上片３２は、天板装置３が背凭れ部材２０に取り付けられた状態で、背凭れ部材２０の平頂面２０Ａに沿って配置され、天板装置３２における上片３２の上面と背凭れ部材２０の平頂面とは略平行とされている。また、天板装置３における前片３１は、背凭れ部材２０における前面に沿って配置され、後片３３は、背凭れ部材２０における後面に沿って配置される。こうして、天板装置３は、背凭れ部材２０の頂部にはめ込む形で取付可能とされている。
【００２６】
また、天板装置３は、図５に示すように、上側から背凭れ部材２０における背凭れ部２２に対して挿入して取り付けることができる。ここで、背凭れ部２２の長さ方向に交差する断面で切った背凭れ部２２の断面形状は、どの位置で切ったとしてもほぼ同一の形状とされている。このため、背凭れ部２２の上面であれば、どの位置でも天板装置３を取り付けることができる。あるいは、一旦任意の位置に取り付けた天板装置３を背凭れ部２２の上面に沿ってスライドさせて移動させることもできる。
【００２７】
以上の構成を有する本実施形態に係るソファ構造においては、背凭れ部材２０における背凭れ部２２の頂部に天板装置３が取付可能とされている。背凭れ部２２の頂部に天板装置３が取り付けることにより、台座部材１０に着座する着座者が、天板装置３をテーブル代わりに使用することができ、例えば簡単なメモ書きなどの作業を行う際のテーブルとして使用することができる。
【００２８】
ここで、天板装置３は、背凭れ部材２０における背凭れ部２２の上面における任意の位置に取付可能とされている。このため、ソファ１に着座する着座者に対して、天板装置３を相対的に使いやすい位置に取り付け、または移動させることができる。したがって、着座者が作業を行う際の自由度の低下を抑制することができる。しかも、天板装置３は背凭れ部材２０に対して着脱可能とされている。このため、天板装置３の設置位置の自由度を任意の位置に容易に付け替えることができるので、着座者が作業を行う際の自由度をさらに高めることができる。さらには、ソファ１のレイアウトの自由度や点要請を高めることができる。
【００２９】
さらに、天板装置３は、背凭れ部材２０における背凭れ部２２の断面に沿った下方に開口する略コ字形状をなすように、前片３１，上片３２、および後片３３によって構成されている。天板装置３がこのような形状をなすことで、天板装置３と背凭れ部材２０における背凭れ部２２とが側面視して略補形する形状をなすので、天板装置３を背凭れ部材２０に取り付ける際における位置決めを容易に行うことができる。
【００３０】
なお、天板装置３としては、前片３１および後片３３の少なくとも一方に弾性を付与し、前片３１の下端部と後片３３との離間距離を、取付時における背凭れ部材２０における背凭れ部２２に対応する高い位置の幅よりも狭くなるようにすることもできる。この場合、前片３１および後片の弾性力によって、天板装置３を背凭れ部材２０にしっかりと固定することができる。
【００３１】
また、天板装置３を背凭れ部材２０の背凭れ部２２の任意の位置に取付可能とされていることから、ソファ１を配置する際にも、天板装置３が使い難くなることなどあまり考慮することなく、ソファ１の配置を決定することができる。しかも、ソファ１は、台座部材１０および背凭れ部材２０を備える簡素な構成とされている。したがって、ソファのレイアウトなどについても、その自由度の低下を抑制することができる。
【００３２】
特に、複数のソファ１を並べることによってソファ装置を形成する際にも、ソファ装置のレイアウトに対する自由度の低下を抑制することができる。さらには、天板装置３をテーブルなどとして使用する場合においても、天板装置３を着座者に対して相対的に任意の位置に設置することができるので、天板装置３の使い勝手を損なわないようにすることができる。以下、複数のソファを並設する場合の例について説明する。
【００３３】
図６は、複数のソファを並べてソファ装置を形成した状態を示す模式的平面図である。
【００３４】
図６（ａ）に示す例では、台座部材１０同士の間に背凭れ部材２０が介在された１組のソファ１が２組並設されたソファ装置が設けられている。この例では、ソファ１では、１つの台座部材１０の後方に背凭れ部材２０が配設され、その後方にさらに台座部材１０が配設された構造となっている。
【００３５】
着座者Ｈは、背凭れ部材２０の前後に配置された台座部材１０のいずれにも着座可能とされている。こうして、背凭れ部材２０は、前後の台座部材１０に着座する着座者Ｈの何れに対しても、背凭れ機能を発揮することとなる。また、背凭れ部材２０の頂部には、天板装置３が取り付けられている。台座部材１０に着座する着座者Ｈ１は、少し振り返る形で天板装置３を利用して作業を行うことができる。
【００３６】
このように、ソファ装置の中央に台座部材１０が配置されるため、ソファ装置１としての意匠性を高めることができるとともにレイアウトの自由度や転用性をより高めることができる。また、ソファ装置は、全体的に前後方向に沿って対称線に対して線対称となる形状をなしている。このため、ソファ装置を全体的に見て、左右にバランス良く使用させやすくすることができるとともに、高い意匠性をなすものとすることができる。
【００３７】
さらに、背凭れ部材２０の上端には天板装置３が取り付けられている。このため、後方から台座部材１０に着座した着座者Ｈ１が、少し横を向いた程度で天板装置３を使用することができるようになる。したがって、その分天板装置３の使い勝手を高いものとすることができる。また、天板装置３は、着脱可能とされており、その移動を容易に行うことができるようにされている。このため、台座部材１０に着座する着座者Ｈの着座位置に応じて、天板装置３の設置位置を調整することができる。よって、着座者Ｈ１が作業を行う際の自由度の低下を抑制することができる。
【００３８】
図６（ｂ）に示す例では、台座部材１０を設けることなく、背凭れ部材２０のみによってソファを構成している。ここでは、３つの背凭れ部材２０を並設してソファ１を構成している。背凭れ部材２０は、台座部材１０の後方に配置されることで背凭れとして機能する一方で、その高さ位置は、人の腰の位置程度の高さとされているので、利用者Ｈは、背凭れ部材２０に腰部あたりをソファ１に当てつけて寄りかかる形でソファ１を利用することができる。
【００３９】
また、この例においても、背凭れ部材２０の頂部には、天板装置３が取り付けられている。この天板装置３は、例えば利用者Ｈ２のように、背凭れ部材２０に寄りかかったまま軽く後ろを振り向くようにして使用することができる。この場合でも、天板装置３を背凭れ部材２０の任意の位置に配置することができるので、利用者Ｈ２が作業を行う際の自由度の低下を抑制することができる。
【００４０】
図６（ｃ）に示す例では、台座部材１０および背凭れ部材２０は、何れも平面視して略長方形状をなしている。また、台座部材１０および背凭れ部材２０は、いずれも側断面形状は、上記の実施形態と同様に略台形状をなしている。この例では、背凭れ部材２０の前後両側に台座部材１０が配設されている。
【００４１】
ソファ１としては、上記の実施形態のような湾曲した形状とすることもできるし、図６（ｃ）に示すように、直線状の形状とすることもできる。このようなソファ１においても、背凭れ部材２０の上端に天板装置３を取り付けることができる。ここで用いられる天板装置３は、背凭れ部材２０の上端部の形状に合わせて、下方が開口する断面略コ字形状であり、その前後面が傾斜する形状とされている。
【００４２】
このような直線状のソファ１においても、天板装置３を取り付けることにより、着座者Ｈ３がメモ書きなどの作業を容易に行うことができる。ここで、着座者Ｈ３のように、台座部材１０に正座して完全に背凭れ部材２０方向を向いて作業を行うこともできる。また、天板装置３の取り付け位置を容易に変えることができるので、台座部材１０に着座する着座者の着座位置に応じて、天板装置３の設置位置を調整することができる。よって、着座者Ｈ３が作業を行う際の自由度やレイアウトの自由度の低下を抑制することができる。
【００４３】
図６（ｄ）に示す例では、３つの台座部材１０が並設され、その中央に配設された台座部材１０の後方に背凭れ部材２０が配設され、中央の台座部材１０とその後方に配置された背凭れ部材２０とが図示しない連結装置によって連結されている。
【００４４】
また、３つの台座部材１０では、その向きが交互となるように配置されている。具体的に、最も左に配置された台座部材１０の向き（幅の狭い方の片が配置された側の向き）に対して、中央に配置された台座部材１０の向きは、その１８０度反対側を向いた向きとされている。さらに、最も右側に配置された台座部材１０は、最も左に配置された台座部材１０の向きと平行となる向きに配置されている。
【００４５】
このように、ソファ装置の中央に台座部材１０が配置されるとともに、その左右位置にそれぞれ台座部材１０が設けられている。このため、ソファ装置１としての意匠性を高めることができるとともにレイアウトの自由度や転用性をより高めることができる。また、ソファ装置は、全体的に前後方向に沿って対称線に対して線対称となる形状をなしている。このため、ソファ装置を全体的に見て、左右にバランス良く使用させやすくすることができるとともに、高い意匠性をなすものとすることができる。
【００４６】
また、このソファ装置では、左右位置に配置された台座部材１０の後側には背凭れ部材２０が配設されていない構造となっている。このため、台座部材１０がスツール様となるので、着座者Ｈは、前後のどちら側からも容易に着座することができる。このとき、背凭れ部材２０の端部に天板装置３を取り付けることにより、後方から台座部材１０に着座した着座者Ｈ４が、少し横を向いた程度で天板装置３を使用することができるようになる。したがって、その分天板装置３の使い勝手を高いものとすることができる。
【００４７】
以上、本発明の好適な実施形態について説明したが、本発明は上記の実施形態に限定されるものではない。たとえば、上記の実施形態では、台座部材１０は台座用接床部１１および座部１２を備えているが、これらを一体的に形成することもできる。同様に、背凭れ部材２０は、背凭れ用接床部２１および背凭れ部２２を備えているが、これらを一体的に形成することもできる。
【００４８】
また、背凭れ部材２０の前面は、上方に向かうにしたがって後方に傾斜する傾斜面とされているが、このような傾斜が形成されず、鉛直面とすることもできる。さらに、背凭れ部材２０の後面についても鉛直面とすることができ、前面と後面のいずれか一方を傾斜面とし、他方を延直面とすることなどもできる。
【００４９】
さらに、天板装置３は、背凭れ部材２０に対して任意の位置に取り付け可能とされているが背凭れ部材２０に、天板装置３の取り付け位置の目安となる目印を設けることもできる。この目印としては、例えば小さな突起や溝などを形成することができるし、記号などを描いておくことができる。
【符号の説明】
【００５０】
１…ソファ
１０…台座部材
１０Ａ…座面
１１…台座用接床部
１２…座部
２０…背凭れ部材
２０Ａ…平頂面
２１…背凭れ用接床部
２２…背凭れ部
３…天板装置
３１…前片
３２…上片
３３…後片
Ｈ，Ｈ１〜Ｈ４…着座者
Ｔ…テーブル
【図１】
2015084903.tif 000003
【図２】
2015084903.tif 000004
【図３】
2015084903.tif 000005
【図４】
2015084903.tif 000006
【図５】
2015084903.tif 000007
【図６】
2015084903.tif 000008